(57)【特許請求の範囲】
【請求項１】
ガス燃焼式の複数の加熱部の夫々に対して点火及び消火を指令し、且つ、前記複数の加熱部の夫々についての目標火力を設定する手動操作式の複数の加熱状態設定手段、
前記複数の加熱部のうちの自動調理を行うものとして定められた自動調理用の加熱部に対して自動調理情報を設定する手動操作式の自動調理設定手段、及び、
前記複数の加熱部の燃焼を制御する運転制御手段が設けられ、
前記運転制御手段が、
前記複数の加熱状態設定手段の点火及び消火の指令情報に基づいて、前記複数の加熱部についての点火及び消火を行う点消火処理、
前記複数の加熱状態設定手段の目標火力の設定情報に基づいて、前記複数の加熱部についての燃料供給量調節手段を制御する火力調節処理、及び、
前記自動調理設定手段にて設定された自動調理情報に基づいて、前記自動調理用の加熱部の前記燃料供給量調節手段を制御する自動調理処理を実行するように構成されたガスコンロであって、
前記運転制御手段が、前記複数の加熱部のうちの自動調理を行うことのない加熱部を消費制限用の加熱部として、前記複数の加熱部にて消費するガス消費量の総和が設定最大量を越えないように、前記複数の加熱部のうちの前記自動調理用の加熱部とは異なる前記消費制限用の加熱部についてのガス消費量を制限する消費量制限処理を実行するように構成され、
前記運転制御手段が、前記消費量制限処理として、
前記複数の加熱部のうちの前記消費制限用の加熱部を除いた消費非制限用の加熱部についてのガス消費量の総和を求めて、前記消費制限用の加熱部についてのガス消費量を、前記設定最大量と前記消費非制限用の加熱部についてのガス消費量の総和との差に相当するガス消費量に制限するように構成されているガスコンロ。
【請求項２】
前記運転制御手段が、
前記自動調理設定手段にて設定される複数種の自動調理のうちの少なくともひとつに対する前記自動調理処理として、前記自動調理用の加熱部に対する火力を高火力状態と低火力状態とに繰り返して切換えるように、前記燃料供給量調節手段を制御する火力繰り返し変更処理を行うように構成され、且つ、
前記消費量制限処理において、前記自動調理処理として前記火力繰り返し変更処理を行う場合における前記自動調理用の加熱部のガス消費量を、前記高火力状態に対応するガス消費量とする形態で、前記消費非制限用の加熱部についてのガス消費量の総和を求めるように構成されている請求項１記載のガスコンロ。
【請求項３】
前記運転制御手段が、
前記消費量制限処理として、前記消費制限用の加熱部の燃焼中において、前記加熱状態設定手段の目標火力設定情報に基づいて前記消費非制限用の加熱部の火力を高火力側に調節したならば前記複数の加熱部のガス消費量の総和が前記設定最大量を超えることになる状態になった場合には、前記消費制限用の加熱部についてのガス消費量を、前記設定最大量と火力を高火力側に調節したと仮定したときの前記消費非制限用の加熱部についてのガス消費量の総和との差に相当する消費量に減少したのちに、前記消費非制限用の加熱部についてのガス消費量を増加させるように構成されている請求項１又は２に記載のガスコンロ。
【請求項４】
前記運転制御手段が、
前記消費量制限処理として、前記消費制限用の加熱部についてのガス消費量を、前記加熱状態設定手段にて設定された目標火力に対応するガス消費量よりも減少させているときに、前記消費制限用の加熱部についてのガス消費量を増加させても前記複数の加熱部のガス消費量の総和が前記設定最大量を超えない状態になった場合において、前記消費制限用の加熱部についての前記加熱状態設定手段が火力減少側に操作されたのちに火力増大側に操作されると、その加熱状態設定手段の目標火力設定情報に基づいて、前記消費制限用の加熱部についてのガス消費量を増加させるように構成されている請求項１〜３のいずれか１項に記載のガスコンロ。
【請求項５】
前記消費制限用の加熱部の変更を指令する変更指令手段が設けられ、
前記運転制御手段が、前記変更指令手段の変更指令情報に基づいて、前記複数の加熱部のうちに定める前記消費制限用の加熱部を変更するように構成され、
前記運転制御手段は、前記自動調理用の加熱部が前記消費制限用の加熱部に変更された場合には、その自動調理用の加熱部に対する自動調理処理を実行しないように構成されている請求項１〜４のいずれか１項に記載のガスコンロ。
【請求項６】
前記運転制御手段が、前記消費量制限処理を実行する状態と前記消費量制限処理を実行しない状態とに切換え自在に構成されている請求項１〜５のいずれか１項に記載のガスコンロ。
【発明の詳細な説明】
【技術分野】
【０００１】
本発明は、ガス燃焼式の複数の加熱部の夫々に対して点火及び消火を指令し、且つ、前記複数の加熱部の夫々についての目標火力を設定する手動操作式の複数の加熱状態設定手段、前記複数の加熱部のうちの自動調理を行うものとして定められた自動調理用の加熱部に対して自動調理情報を設定する手動操作式の自動調理設定手段、及び、前記複数の加熱部の燃焼を制御する運転制御手段が設けられ、
前記運転制御手段が、前記複数の加熱状態設定手段の点火及び消火の指令情報に基づいて、前記複数の加熱部についての点火及び消火を行う点消火処理、前記複数の加熱状態設定手段の目標火力の設定情報に基づいて、前記複数の加熱部についての燃料供給量調節手段を制御する火力調節処理、及び、前記自動調理設定手段にて設定された自動調理情報に基づいて、前記自動調理用の加熱部の前記燃料供給量調節手段を制御する自動調理処理を実行するように構成されたガスコンロに関する。
【背景技術】
【０００２】
かかるガスコンロは、複数の加熱部のうちで、使用するものを選択して点火及び消火することができ、また、その選択した加熱部に対する火力を必要とする目標火力に調節でき、さらには、自動調理用の加熱部に対して自動調理情報を設定することにより、自動調理用の加熱部の火力を自動的に調節しながら自動調理を行わせることができる。
【０００３】
複数の加熱部としては、複数のコンロバーナに加えて、一般には、グリルバーナを備えさせることになる。
ちなみに、複数のコンロバーナを備えさせるにあたり、一般には、その最大火力（最大ガス消費量）が異なる複数種類のコンロバーナを備えさせることになる。
【０００４】
そして、コンロバーナを用いる自動調理としては、変更設定された設定時間が経過すると自動的に消火するタイマ運転処理、加熱される鍋等の被加熱物の温度を検出する被加熱物検出センサにて検出される温度が変更設定される目標温度に維持するように火力を高火力状態と低火力状態とに繰り返し切換える揚げもの運転処理、被加熱物検出センサにて検出される温度が沸騰を検出すると消火する湯わかし運転処理、及び、運転開始からの時間経過に伴って火力を設定パターンにて変更させる炊飯運転処理等がある。
また、グリルバーナを用いる自動調理としては、変更設定された設定時間が経過すると自動的に消火するグリル用タイマ運転処理がある。
【０００５】
尚、湯わかし運転処理としては、一般には、沸騰検出するまでは最大火力（最大ガス消費量）で加熱した後、沸騰検出後に直ちに消火するモード（沸騰消火モード）と、加熱開始から沸騰が検出するまでは最大火力状態（最大ガス消費量）で加熱し、沸騰が検出されたのちは、小火力状態（少ガス消費量）にして、設定時間（５分間）が経過すると消火するモード（５分保温モード）とを備えさせて、これらモードを選択できるようにすることが多い。
【０００６】
このようなガスコンロにおいては、複数の加熱部の全てを最大火力（最大ガス消費量）にて使用すると、燃焼排ガス量が多くなって、このガスコンロが設置されている設置箇所の空気環境が悪化する虞がある。つまり、ガスコンロが設置されることになる一般家庭においては、一般には、大掛かりな排気設備（換気設備）を備えない場合が多いが、このような場合において、燃焼排ガス量が多くなると、空気環境が悪化する虞がある。
特に、近年では、使用者の要求に応じて各加熱部の最大火力（最大ガス消費量）を大きくする傾向にあるため、上記の問題が顕著になる傾向にある。
【０００７】
そこで、複数の加熱部のガス消費量の総和が設定最大量を超えないようにするために、最後に燃焼させる加熱部のガス消費量（火力）を制限することが考えられている（例えば、特許文献１参照。）。
ちなみに、この特許文献１においては、複数のコンロバーナに対する燃焼用空気の供給量が不足することがないようにすることを目的として、複数の加熱部のガス消費量の総和が設定最大量を超えないようにすることが記載されているが、このように複数の加熱部のガス消費量の総和が設定最大量を超えないようにすることにより、大掛かりな排気設備を設置していない一般家庭において、燃焼排ガス量が過大になることを回避できるものとなる。
【先行技術文献】
【特許文献】
【０００８】
【特許文献１】特開２００６−３１７０６４号公報（第６頁）
【発明の概要】
【発明が解決しようとする課題】
【０００９】
従来のガスコンロにおいては、複数の加熱部のガス消費量の総和が設定最大量を超えないようにするにあたり、最後に燃焼させる加熱部のガス消費量（火力）を制限するものであるが、この場合、最後に燃焼させる加熱部が、自動調理用の加熱部となり、その自動調理用の加熱部のガス消費量（火力）が制限される場合がある。
しかしながら、自動調理用の加熱部のガス消費量（火力）が制限されると、自動調理を適正通り行えない虞があり、改善が望まれるものであった。
【００１０】
つまり、自動調理として、例えば、沸騰検出するまでは最大火力（最大ガス消費量）で加熱した後、沸騰検出後に直ちに消火する湯わかし運転処理を行う場合において、本来は最大火力にて加熱すべきところが、最大火力よりも小さな火力に制限されることになるため、沸騰が検出するまでの時間が、通常の時間よりも長くなり、使用者に不便を感じさせるものとなる虞がある。
また、自動調理として、揚げもの運転処理を行う場合において、火力（ガス消費量）が制限されると、被加熱物（てんぷら油）を迅速に昇温させることができないばかりか、十分な高温に昇温させることができないものとなって、所望通りの調理を行えないものとなる。
【００１１】
このように自動調理用の加熱部のガス消費量（火力）が制限されると、自動調理を適正通り行えない虞があるにも拘わらず、従来では、自動調理用の加熱部のガス消費量（火力）が制限される虞があるため、改善が望まれるものであった。
【００１２】
本発明は、上記実情に鑑みて為されたものであって、その目的は、複数の加熱部にて消費するガス消費量の総和が設定最大量を超えないようにしながらも、自動調理を適正通り行うことができるガスコンロを提供する点にある。
【課題を解決するための手段】
【００１３】
本発明のガスコンロは、ガス燃焼式の複数の加熱部の夫々に対して点火及び消火を指令し、且つ、前記複数の加熱部の夫々についての目標火力を設定する手動操作式の複数の加熱状態設定手段、
前記複数の加熱部のうちの自動調理を行うものとして定められた自動調理用の加熱部に対して自動調理情報を設定する手動操作式の自動調理設定手段、及び、
前記複数の加熱部の燃焼を制御する運転制御手段が設けられ、
前記運転制御手段が、
前記複数の加熱状態設定手段の点火及び消火の指令情報に基づいて、前記複数の加熱部についての点火及び消火を行う点消火処理、
前記複数の加熱状態設定手段の目標火力の設定情報に基づいて、前記複数の加熱部についての燃料供給量調節手段を制御する火力調節処理、及び、
前記自動調理設定手段にて設定された自動調理情報に基づいて、前記自動調理用の加熱部の前記燃料供給量調節手段を制御する自動調理処理を実行するように構成されたものであって、その第１特徴構成は、
前記運転制御手段が、前記複数の加熱部のうちの自動調理を行うことのない加熱部を消費制限用の加熱部として、前記複数の加熱部にて消費するガス消費量の総和が設定最大量を越えないように、前記複数の加熱部のうちの前記自動調理用の加熱部とは異なる前記消費制限用の加熱部についてのガス消費量を制限する消費量制限処理を実行するように構成され、
前記運転制御手段が、前記消費量制限処理として、
前記複数の加熱部のうちの前記消費制限用の加熱部を除いた消費非制限用の加熱部についてのガス消費量の総和を求めて、前記消費制限用の加熱部についてのガス消費量を、前記設定最大量と前記消費非制限用の加熱部についてのガス消費量の総和との差に相当するガス消費量に制限するように構成されている点を特徴とする。
【００１４】
すなわち、複数の加熱部にて消費するガス消費量の総和が設定最大量を超えないようにするために、運転制御手段が、複数の加熱部のうちで、自動調理を行うものとして定められた自動調理用の加熱部とは異なる消費制限用の加熱部について、そのガス消費量を制限する消費量制限処理を実行することになる。
【００１５】
このように自動調理用の加熱部とは異なる消費制限用の加熱部のガス消費量を制限することにより、複数の加熱部にて消費するガス消費量の総和が設定最大量を超えないようにするものであるから、自動調理用の加熱部に対するガス消費量が制限されることがないため、自動調理用の加熱部を用いた自動調理を適正通り良好に行えるものとなる。
【００１６】
要するに、本発明の第１特徴構成によれば、複数の加熱部にて消費するガス消費量の総和が設定最大量を超えないようにしながらも、自動調理を適正通り行うことができるガスコンロを提供できる。
【００１８】
又、第１特徴構成によれば、運転制御手段は、複数の加熱部のうちの消費制限用の加熱部を除いた消費非制限用の加熱部についてのガス消費量の総和を求めて、消費制限用の加熱部についてのガス消費量を、設定最大量と消費非制限用の加熱部ついてのガス消費量の総和との差に相当するガス消費量に制限する形態で、消費量制限処理を行うことになる。
【００１９】
そして、設定最大量と消費非制限用の加熱部ついてのガス消費量の総和との差に相当する消費量は、複数の加熱部にて消費するガス消費量の総和が設定最大量を超えないようにしながらも、消費制限用の加熱部に消費することが可能な最大量であるから、消費制限用の加熱部のガス消費量を極力大きくすることができるものとなり、消費制限用の加熱部の使用勝手が悪くなるのを極力抑制することができる。
【００２０】
つまり、複数の加熱部にて消費するガス消費量の総和が設定最大量を超えないようにするにあたり、複数の加熱部が同時に使用されている場合には、複数の加熱部にて消費するガス消費量の総和が設定最大量を超えるおそれがあるものとして、消費制限用の加熱部のガス消費量を予め設定した制限用ガス消費量に画一的に制限することが考えられる。
尚、消費制限用の加熱部について設定する制限用ガス消費量は、消費非制限用の加熱部の全てを最大ガス消費量にて使用した場合において、消費制限用の加熱部にて消費可能な最大ガス消費量を設定することになる。
【００２１】
このように、複数の加熱部が同時に使用されているときの消費制限用の加熱部のガス消費量を予め設定した制限用ガス消費量に画一的に制限する場合には、消費制限用の加熱部のガス消費量を制限用ガス消費量よりも増加させても、複数の加熱部にて消費するガス消費量の総和が設定最大量を超えないようにすることができるときにも、消費制限用の加熱部のガス消費量を予め設定した制限用ガス消費量に制限するものとなり、消費制限用の加熱部の使用勝手が悪くなる不都合がある。
【００２２】
要するに、本発明の第１特徴構成によれば、上記作用効果に加えて、消費制限用の加熱部の使用勝手が悪くなるのを極力抑制できるガスコンロを提供できる。
【００２３】
本発明の第２特徴構成は、上記した第１特徴構成に加えて、
前記運転制御手段が、
前記自動調理設定手段にて設定される複数種の自動調理のうちの少なくともひとつに対する前記自動調理処理として、前記自動調理用の加熱部に対する火力を高火力状態と低火力状態とに繰り返して切換えるように、前記燃料供給量調節手段を制御する火力繰り返し変更処理を行うように構成され、且つ、
前記消費量制限処理において、前記自動調理処理として前記火力繰り返し変更処理を行う場合における前記自動調理用の加熱部のガス消費量を、前記高火力状態に対応するガス消費量とする形態で、前記消費非制限用の加熱部についてのガス消費量の総和を求めるように構成されている点を特徴とする。
【００２４】
すなわち、自動調理処理として、自動調理用の加熱部に対する火力を高火力状態と低火力状態とに繰り返して切換えるように、燃料供給量調節手段を制御する火力繰り返し変更処理を行う場合においては、運転制御手段は、自動調理処理を実行中の自動調理用の加熱部のガス消費量を、高火力状態に対応するガス消費量とする形態で、前記消費非制限用の加熱部についてのガス消費量の総和を求めて、消費量制限処理を行うことになる。
【００２５】
このように、消費量制限処理を行うために消費非制限用の加熱部についてのガス消費量の総和を求めるにあたり、自動調理処理として、火力繰り返し変更処理を行う場合には、自動調理処理を実行中の自動調理用の加熱部のガス消費量を、高火力状態に対応するガス消費量とするものであるから、消費制限用の加熱部について使用できるガス消費量が頻繁に変化することを抑制して、消費制限用の加熱部の使い勝手を向上できる。
【００２６】
説明を加えると、自動調理処理が実行されている自動調理用の加熱部の火力が、高火力状態と低火力状態とに切換えられるのに応じて、自動調理処理を実行中の自動調理用の加熱部のガス消費量を、高火力状態に対応するガス消費量と低火力状態に対応するガス消費量とする形態で、消費非制限用の加熱部についてのガス消費量の総和を求めて、消費制限用の加熱部について制限するガス消費量を増減させることが考えられるが、この場合には、消費制限用の加熱部にて使用できるガス消費量（火力）が、自動調理用の加熱部の火力が高火力状態と低火力状態とに切換えられるのに応じて変化して、消費制限用の加熱部が使用し難いものとなる。
【００２７】
要するに、本発明の第２特徴構成によれば、上記第１特徴構成による作用効果に加えて、消費制限用の加熱部の使い勝手を向上できるガスコンロを提供できる。
【００２８】
本発明の第３特徴構成は、上記した第１特徴構成又は第２特徴構成に加えて、
前記運転制御手段が、
前記消費量制限処理として、前記消費制限用の加熱部の燃焼中において、前記加熱状態設定手段の目標火力設定情報に基づいて前記消費非制限用の加熱部の火力を高火力側に調節したならば前記複数の加熱部のガス消費量の総和が前記設定最大量を超えることになる状態になった場合には、前記消費制限用の加熱部についてのガス消費量を、前記設定最大量と火力を高火力側に調節したと仮定したときの前記消費非制限用の加熱部についてのガス消費量の総和との差に相当する消費量に減少したのちに、前記消費非制限用の加熱部についてのガス消費量を増加させるように構成されている点を特徴とする。
【００２９】
すなわち、消費制限用の加熱部の燃焼中において、加熱状態設定手段の目標火力設定情報に基づいて前記消費非制限用の加熱部の火力を高火力側に調節したならば複数の加熱部のガス消費量の総和が設定最大量を超える状態になった場合には、つまり、消費制限用の加熱部の燃焼中において、燃焼停止中の消費非制限用の加熱部の燃焼が開始されて、その加熱部の火力が高火力側に調節されるときや、既に燃焼中の消費非制限用の加熱部の火力が高火力側に調節されるときに、その高火力側への調節を行うと、複数の加熱部のガス消費量の総和が前記設定最大量を超えることになる場合には、先ず、消費制限用の加熱部についてのガス消費量を、設定最大量と火力を高火力側に調節したと仮定したときの消費非制限用の加熱部ついてのガス消費量の総和との差に相当する消費量に減少することが行われる。
そして、消費制限用の加熱部についてのガス消費量を減少することを行ったのちに、消費非制限用の加熱部についてのガス消費量を増加させるが行われる。
【００３０】
このように消費制限用の加熱部についてのガス消費量を、設定最大量と火力を高火力側に調節したと仮定したときの消費非制限用の加熱部ついてのガス消費量の総和との差に相当する消費量に減少することを行ったのちに、消費非制限用の加熱部についてのガス消費量を増加させるものであるから、複数の加熱部のガス消費量の総和が設定最大量を超えることが、的確に抑制できるものとなる。
【００３１】
つまり、消費制限用の加熱部についてのガス消費量を、設定最大量と火力を高火力側に調節したときの消費非制限用の加熱部ついてのガス消費量の総和との差に相当する消費量に減少することと、消費非制限用の加熱部についてのガス消費量を増加させることとを同時に行うようにすると、一時的に、複数の加熱部のガス消費量の総和が設定最大量を超える事態を生じる虞があるが、このような事態が発生することを的確に抑制できるものとなる。
【００３２】
要するに、本発明の第３特徴構成によれば、上記第１特徴構成又は第２特徴構成による作用効果に加えて、複数の加熱部のガス消費量の総和が設定最大量を超えることを的確に抑制できるガスコンロを提供できる。
【００３３】
本発明の第４特徴構成は、上記第１〜第３特徴構成のいずれかに加えて、
前記運転制御手段が、
前記消費量制限処理として、前記消費制限用の加熱部についてのガス消費量を、前記加熱状態設定手段にて設定された目標火力に対応するガス消費量よりも減少させているときに、前記消費制限用の加熱部についてのガス消費量を増加させても前記複数の加熱部のガス消費量の総和が前記設定最大量を超えない状態になった場合において、前記消費制限用の加熱部についての前記加熱状態設定手段が火力減少側に操作されたのちに火力増大側に操作されると、その加熱状態設定手段の目標火力設定情報に基づいて、前記消費制限用の加熱部についてのガス消費量を増加させるように構成されている点を特徴とする。
【００３４】
すなわち、消費制限用の加熱部についてのガス消費量を、加熱状態設定手段にて設定された目標火力に対応するガス消費量よりも減少させているときに、消費非制限用の加熱部についての火力（ガス消費量）が減少することにより、消費制限用の加熱部についてのガス消費量を増加させても複数の加熱部のガス消費量の総和が設定最大量を超えない状態になった場合においては、消費制限用の加熱部についての加熱状態設定手段が火力減少側に操作されたのちに火力増大側に操作されると、その後、その加熱状態設定手段の目標火力設定情報に基づいて、消費制限用の加熱部についてのガス消費量（火力）が増加されることになる。
【００３５】
このように、消費制限用の加熱部についてのガス消費量を、加熱状態設定手段にて設定された目標火力に対応するガス消費量よりも減少させているときに、消費制限用の加熱部についてのガス消費量を増加させても複数の加熱部のガス消費量の総和が設定最大量を超えない状態になった場合において、直ちに、加熱状態設定手段の目標火力設定情報に基づいて、消費制限用の加熱部についてのガス消費量（火力）が増加させずに、費制限用の加熱部についての加熱状態設定手段が火力減少側に操作されたのちに火力増大側に操作されると、その加熱状態設定手段の目標火力設定情報に基づいて、消費制限用の加熱部についてのガス消費量（火力）を増加させるものであるから、消費制限用の加熱部のガス消費量（火力）が、使用者の意図に反して増加する不都合を抑制できるものとなる。
【００３６】
つまり、消費制限用の加熱部についてのガス消費量を、加熱状態設定手段にて設定された目標火力に対応するガス消費量よりも減少させているときに、消費制限用の加熱部についてのガス消費量を増加させても複数の加熱部のガス消費量の総和が設定最大量を超えない状態になった場合において、直ちに、加熱状態設定手段の目標火力設定情報に基づいて、消費制限用の加熱部についてのガス消費量（火力）が増加されるようにすると、消費制限用の加熱部についてのガス消費量を制限している間に、加熱状態設定手段が誤操作される等により、加熱状態設定手段が必要とする火力とは異なる目標火力となるように設定されている場合等においては、消費制限用の加熱部のガス消費量（火力）が、使用者の意図に反して増加する不都合を招く虞があるが、このような不都合の発生を抑制できるものとなる。
【００３７】
要するに、本発明の第４特徴構成によれば、上記第１〜第３特徴構成による作用効果に加えて、消費制限用の加熱部のガス消費量（火力）が使用者の意図に反して増加する不都合を抑制できるガスコンロを提供できる。
【００３８】
本発明の第５特徴構成は、上記第１〜第４特徴構成のいずれかに加えて、
前記消費制限用の加熱部の変更を指令する変更指令手段が設けられ、
前記運転制御手段が、前記変更指令手段の変更指令情報に基づいて、前記複数の加熱部のうちに定める前記消費制限用の加熱部を変更するように構成され、
前記運転制御手段は、前記自動調理用の加熱部が前記消費制限用の加熱部に変更された場合には、その自動調理用の加熱部に対する自動調理処理を実行しないように構成されている点を特徴とする。
【００３９】
すなわち、変更指令手段にて消費制限用の加熱部の変更を指令することにより、運転制御手段が、複数の加熱部のうちに定める消費制限用の加熱部を変更することになる。
このように消費制限用の加熱部を変更できるものであるから、使用者のガスコンロの使用状況に合わせて、複数の加熱部のうちに消費制限用の加熱部を定めることができるものとなり、利便性を向上できる。
【００４０】
要するに、本発明の第５特徴構成によれば、上記第１〜第４特徴構成による作用効果に加えて、利便性を向上できるガスコンロを提供できる。
【００４２】
又、第５特徴構成によれば、自動調理用の加熱部が消費制限用の加熱部に変更された場合には、運転制御手段は、その自動調理用の加熱部に対する自動調理処理を実行しないことになる。
このように、自動調理用の加熱部が消費制限用の加熱部に変更された場合には、その自動調理用の加熱部に対する自動調理処理が行われないものとなるから、その自動調理用の加熱部にて自動調理を行う場合の不都合、つまり、ガス消費量（火力）が制限されることにより、自動調理を適正通り行えない不都合が生じることを回避できる。
【００４３】
要するに、本発明の第５特徴構成によれば、上記作用効果に加えて、自動調理を適正通り行えない不都合の発生を回避できるガスコンロを提供できる。
【００４４】
本発明の第６特徴構成は、上記第１特徴構成〜第５特徴構成のいずれかに加えて、
前記運転制御手段が、前記消費量制限処理を実行する状態と前記消費量制限処理を実行しない状態とに切換え自在に構成されている点を特徴とする
【００４５】
すなわち、運転制御手段を、消費量制限処理を実行する状態と消費量制限処理を実行しない状態とに切換えることができるから、消費量制限処理を必要とするときには、消費量制限処理を実行する状態に切換え、消費量制限処理を必要としないときには、消費量制限処理を実行しない状態に切換えることができる。
【００４６】
つまり、ガスコンロの設置箇所が、十分な換気機能を備えているような場合には、消費量制限処理が不要であるから、消費量制限処理を実行しない状態に運転制御手段を切換えることによって、全ての加熱部についてガス消費量を制限することなく使用できるものとなる。
もちろん、ガスコンロの設置箇所が、十分な換気機能を備えていない場合には、消費量制限処理が必要であるから、消費量制限処理を実行する状態に運転制御手段を切換えることによって、ガスコンロを良好に使用できるものとなる。
【００４７】
要するに、本発明の第６特徴構成によれば、上記第１特徴構成〜第５特徴構成のいずれかによる作用効果に加えて、ガスコンロの設置箇所に応じて消費量制限処理を実行する状態と消費量制限処理を実行しない状態とを選択できるガスコンロを提供できる。
【図面の簡単な説明】
【００４８】
【図１】ガスコンロの斜視図
【図２】ガスコンロの側面図
【図３】ガス燃料の流路構成を示す概略図
【図４】コンロバーナを示す縦断側面図
【図５】制御構成を示すブロック図
【図６】調理入力部を示す正面図
【図７】制御作動を示すフローチャート
【図８】制御作動を示すフローチャート
【図９】制御作動を示すフローチャート
【図１０】制御作動を示すフローチャート
【図１１】制御作動を示すフローチャート
【発明を実施するための形態】
【００４９】
〔実施形態〕
本発明にかかるガス燃焼機器の火力調節装置を、ガス燃焼機器の一例としてのガスコンロに適用した場合の実施の形態を図面に基づいて説明する。
図１及び図２に示すように、例示するガスコンロは、コンロ本体の上面部に備えられる４つのコンロバーナ１Ａ、１Ｂ、１Ｃ、１Ｄ、及び、グリル部Ｇに備えられるグリルバーナ２（図３参照）を備え、そして、キッチンカウンターに組み込まれるビルトインタイプに構成されている。
本実施形態においては、４つのコンロバーナ１Ａ、１Ｂ、１Ｃ、１Ｄ、及び、グリルバーナ２が、ガス燃焼式の複数の加熱部Ｂに相当する。
【００５０】
４つのコンロバーナ１Ａ〜１Ｄは、左側に配設される高火力バーナ１Ａ、右側に配設される第１標準バーナ１Ｂ、横幅方向の中央の手前側箇所に配設される小火力バーナ１Ｃ、及び、横幅方向の中央の奥側箇所に配設される第２標準バーナ１Ｄから構成されている。
【００５１】
ガスコンロの上面は、ガラス製のトッププレート３にて覆われ、ガスコンロの上面の後部側には、グリル部Ｇの燃焼排ガスを排気するためのグリル排気口４が形成されている。
また、トッププレート３の上部には、４つのコンロバーナ１Ａ〜１Ｄの夫々にて加熱される鍋等の被加熱物を載置するための五徳５が設けられている。
この五徳５は、ガスコンロの上面を全体を覆う状態で設けられ、かつ、各コンロバーナ１Ａ〜１Ｄの夫々に対応するコンロ対応部分に分割される状態に形成されている。
【００５２】
トッププレート３の手前側箇所には、４つのコンロバーナＢに対する操作部Ｊが設けられ、その操作部Ｊには、左側から右側に向けて、高火力バーナ１Ａに対する高火力用操作具６Ａ、小火力バーナ１Ｃに対する小火力用操作具６Ｃ、第２標準バーナ１Ｄに対する第２標準用操作具６Ｄ、及び、第１標準バーナ１Ｂに対する第１標準用操作具６Ｂが配設されている。
尚、以下に記載において、高火力用操作具６Ａ、小火力用操作具１Ｃ、第２標準用操作具６Ｄ、及び、第１標準用操作具６Ｂを区別して記載する必要がないときには、単に、操作具６Ａ〜６Ｄと記載する。
【００５３】
各操作具６Ａ〜６Ｄは、対応するコンロバーナ１Ａ〜１Ｄに対して点火及び消火を指令し且つ対応するバーナ１Ａ〜１Ｄの夫々についての目標火力を設定するために使用されるものであって、具体的には、コンロ奥側ほど下方に向かう傾斜軸心Ｑ周りで往復回動操作自在に装備されて、消火指令位置、点火指令位置、及び、火力調節範囲に回動操作されるように構成されている。
【００５４】
そして、各操作具６Ａ〜６Ｄの夫々に対して、その回動位置を検出する位置検出センサ７Ａ、７Ｂ、７Ｃ、７Ｄ（図５参照）が設けられている。
これらの位置検出センサ７Ａ〜７Ｄは、アブソリュート型のエンコーダを用いて構成され、そして、その検出情報が、運転制御手段としての運転制御部Ｈ（図５参照）に入力されている。
この運転制御部Ｈは、マイクロコンピュータを主要部として構成されて、ガスコンロの運転を制御するものであり、各位置検出センサ７Ａ〜７Ｄの検出情報に基づいて、各操作具６Ａ〜６Ｄの位置が消火指令位置、点火指令位置、及び、火力調節範囲のどのような位置であるかを判別するように構成されている。
【００５５】
つまり、本実施形態においては、各操作具６Ａ〜６Ｄ及び各位置検出センサ７Ａ〜７Ｄにて、加熱手段Ｂとしての４つのコンロバーナ１Ａ〜１Ｄに対して点火及び消火を指令し且つ対応するバーナ１Ａ〜１Ｄの夫々についての目標火力を設定する手動操作式の加熱状態設定手段Ｕが構成されている。
ちなみに、各操作具６Ａ〜６Ｄの後方箇所には、後述の如く、運転制御部Ｈの指令により点灯及び点滅作動される点灯器８Ａ〜８Ｄが設けられている。尚、これら点灯器８Ａ〜８Ｄは、ＬＥＤ（発光ダイオード）を用いて構成されている。
【００５６】
ガスコンロの前面の左側箇所、つまり、中央側に位置するグリルＧの左側箇所には、グリルバーナ２に対するグリル操作具９が配設されている。
このグリル操作具９は、グリルバーナ２に対する点火及び消火を指令し且つグリルバーナ２についての目標火力を設定するのに使用されるものであって、具体的には、前後方向に沿う前後軸心Ｒ周りで往復回動操作自在に装備されて、消火指令位置、点火指令位置、及び、火力調節範囲に回動操作されるように構成されている。
【００５７】
そして、図５に示すように、グリル操作具９の回動位置を検出する位置検出センサ１０が設けられている。この位置検出センサ１０は、アブソリュート型のエンコーダを用いて構成されて、その検出情報が、上述した運転制御部Ｈに入力されている。
運転制御部Ｈが、位置検出センサ１０の検出情報に基づいて、グリル操作具９の位置が消火指令位置、点火指令位置、及び、火力調節範囲のどのような位置であるかを判別するように構成されている。
つまり、本実施形態においては、グリル操作具９及び各位置検出センサ１０にて、加熱手段Ｂとしてのグリルバーナ２に対して点火及び消火を指令し且つグリルバーナ２についての目標火力を設定する手動操作式の加熱状態設定手段Ｕが構成されている。
【００５８】
また、ガスコンロの前面の右側箇所、つまり、中央側に位置するグリルＧの右側箇所には、自動調理情報等の種々の情報を入力するコンロ用設定操作部Ｄが設けられ、グリル操作具９の上方箇所には、自動調理情報等の種々の情報を入力するグリル用設定操作部Ｅが設けられている。
尚、コンロ用設定操作部Ｄの上方箇所には、電源スイッチ１１が設けられている。
ちなみに、本実施形態においては、コンロ用設定操作部Ｄ及びグリル用設定操作部Ｅの夫々は、手動操作式の自動調理設定手段に相当する。
【００５９】
図３に示すように、都市ガス等のガス燃料が供給される元ガス供給路１５に、４つのコンロバーナ１Ａ〜１Ｄに対する４つのコンロ用分岐路１６Ａ、１６Ｂ、１６Ｃ、１６Ｄ、及び、グリルバーナ２に対するグリル用分岐路１７が接続されている。
尚、グリルバーナ２は、一般に、被加熱物を上方から加熱する上バーナと被加熱物を下方から加熱する下バーナとを備えさせることになるが、本実施形態では、上バーナのみが備えられるものとして説明する。
【００６０】
そして、元ガス供給路１５には、閉じ付勢された電磁式の元ガス弁１８が配設され、４つのコンロ用分岐路１６Ａ〜１６Ｄの夫々には、４つのコンロバーナ１Ａ〜１Ｄに供給するガス燃料の供給量を調節するコンロ用流量調節弁１９Ａ、１９Ｂ、１９Ｃ、１９Ｄが配設され、さらに、グリル用分岐路１７には、グリルバーナ２に供給するガス燃料の供給量を調節するグリル用流量調節弁２０が配設されている。
【００６１】
コンロ用流量調節弁１９Ａ〜１９Ｄは、コンロ用のステッピングモータ２１Ａ、２１Ｂ、２１Ｃ、２１Ｄにて操作されるように構成され、同様に、グリル用流量調節弁２０が、グリル用のステッピングモータ２２にて操作されるように構成されている。
ちなみに、本実施形態においては、コンロ用流量調節弁１９Ａ〜１９Ｄが、加熱部Ｂとしての４つのコンロバーナ１Ａ〜１Ｄに対する燃料供給量調節手段Ｎに相当し、グリル用流量調節弁２０が、加熱部Ｂとしてのグリルバーナ２に対する燃料供給量調節手段Ｎに相当する。
【００６２】
図３及び図４に示すように、４つのコンロバーナ１Ａ〜１Ｄ及びグリルバーナ２の夫々に対して、点火用の点火プラグＰ、熱電対等を用いて構成される着火状態検出用の着火センサＦが装備されている。
尚、グリルバーナ２として、上バーナと下バーナとを備えさせる場合には、夫々のバーナに対して、点火プラグＰ及び着火センサＦが装備されることになる。
ちなみに、図４は、４つのコンロバーナ１Ａ〜１Ｄのうちの、第１標準バーナ１Ｂを代表として例示するものである。
【００６３】
また、４つのコンロバーナ１Ａ〜１Ｄの夫々に対して、鍋等の被加熱物の存否を検出し且つその温度を検出する被加熱物検出センサＳが装備されている。
この被加熱物検出センサＳは、上下方向に伸縮自在でかつ上方に復帰付勢された伸縮体Ｓ１を備えて、この伸縮体Ｓ１が被加熱物に押されて下方に移動したことを伸縮検知部Ｓ２にて検出することにより被加熱物の存在を検出するように構成され、また、伸縮体Ｓ１の上端部に設けた温度検知部Ｓ３が、被加熱物に接触してその温度を検出するように構成されている。
【００６４】
図５に示すように、運転制御部Ｈには、上述の如く、コンロ用操作具６Ａ〜６Ｄの位置検出センサ７Ａ〜７Ｄの検出情報及びグリル操作具９の位置検出センサ１０の検出情報が入力され、さらには、コンロ用設定操作部Ｄの設定情報やグリル用設定操作部Ｅの設定情報等、種々の情報が入力され、そして、運転制御部Ｈは、その入力情報に基づいて、ガスコンロの運転のために各種の処理を実行するように構成されている。
【００６５】
すなわち、運転制御部Ｈは、基本的な処理として、点火処理、消火処理、火力調節処理、高温停止処理、及び、非常停止処理を実行するように構成されている。
点火処理は、コンロ用操作具６Ａ〜６Ｄやグリル用操作具９を点火位置に操作する点火操作に基づいて、コンロバーナ１Ａ〜１Ｄやグリルバーナ２に対して点火用流量にてガス燃料を供給すべく、コンロ用流量調節弁１９Ａ〜１９Ｄやグリル用流量調節弁２０を操作したのち、コンロバーナ１Ａ〜１Ｄやグリルバーナ２に対する点火プラグＰを作動させ且つ着火センサＦにて着火を検出する処理である。
尚、運転制御部Ｈは、点火処理を行うときに、元ガス弁１８が閉じているときには、この元ガス弁１８を開き操作することになる。
【００６６】
消火処理は、コンロ用操作具６Ａ〜６Ｄやグリル用操作具９を消火位置に操作する消火操作に基づいて、コンロバーナ１Ａ〜１Ｄやグリルバーナ２に対するガス燃料の供給を停止すべく、コンロ用流量調節弁１９Ａ〜１９Ｄやグリル用流量調節弁２０を操作する処理である。
尚、運転制御部Ｈは、消火処理を行うときに、４つのコンロバーナ１Ａ〜１Ｄ及びグリルバーナ２の全てが消火される状態になるときには、元ガス弁１８を閉じ操作することになる。
【００６７】
火力調節処理は、コンロバーナ１Ａ〜１Ｄやグリルバーナ２の火力がコンロ用操作具６Ａ〜６Ｄやグリル用操作具９にて設定される目標火力になるように、コンロ用流量調節弁１９Ａ〜１９Ｄやグリル用流量調節弁２０を操作する処理である。
【００６８】
高温停止処理は、コンロバーナ１Ａ〜１Ｄの燃焼中において、被加熱物が高温になって被加熱物検出センサＳの温度検知部Ｓ３が設定停止温度を検出すると、コンロバーナ１Ａ〜１Ｄに対するガス燃料の供給を停止すべく、コンロ用流量調節弁１９Ａ〜１９Ｄを操作する処理である。
【００６９】
非常停止処理は、コンロバーナ１Ａ〜１Ｄやグリルバーナ２の燃焼中において着火センサＦにて着火が検出されなくなると、コンロバーナ１Ａ〜１Ｄやグリルバーナ２に対するガス燃料の供給を停止すべく、コンロ用流量調節弁１９Ａ〜１９Ｄやグリル用流量調節弁２０を操作する処理である。尚、この非常停止処理においては、元ガス弁１８を閉じ操作することになる。
【００７０】
さらに、運転制御部Ｈは、コンロ用設定操作部Ｄの設定情報や被加熱物検出センサＳの検出情報等に基づいて、コンロ用流量調節弁１９Ａ〜１９Ｄを操作して、４つのコンロバーナ１Ａ〜１Ｄに対するガス燃料供給量の調節やコンロバーナ１Ａ〜１Ｄへの燃料供給を停止するコンロ用の自動運転処理を実行し、さらに、グリル用設定操作部Ｅの設定情報等に基づいて、グリル用流量調節弁２０を操作して、グリルバーナ２に対する燃料供給量の調節やグリルバーナ２に対する燃料供給を停止するグリル用の自動運転処理を実行するように構成されている。
【００７１】
運転制御部Ｈが実行するコンロ用の自動運転処理としては、変更設定された設定時間が経過すると自動的に消火するタイマー運転処理、被加熱物検出センサＳにて検出される温度を変更設定される目標温度に維持するように火力を高低に調整する揚げもの運転処理、被加熱物検出センサＳにて検出される温度が沸騰を検出すると消火する湯わかし運転処理、及び、運転開始からの時間経過に伴って火力を設定パターンにて変更させる炊飯運転処理等がある。
ちなみに、本実施形態においては、揚げもの運転処理、湯わかし運転処理、炊飯運転処理は、火力が不測に低下することを回避する必要がある自動調理処理に相当する。
【００７２】
また、制御部Ｈが実行するグリル用の自動運転処理としては、変更設定された設定時間が経過すると自動的に消火するグリル用タイマー運転処理がある。ちなみに、グリル用タイマー運転処理においては、加熱開始から設定時間が経過するまで高火力状態に維持する高火力モードと、加熱開始からの主調理期間においては高火力状態し、この主調理期間に続く終期調理期間においては低火力状態にする火力変更モードとがあり、これらモードは調理物に応じて選択されることになる。
ちなみに、本実施形態においては、グリル用タイマー運転処理は、火力が不測に低下することを回避する必要がある自動調理処理に相当する。
【００７３】
次に、４つのコンロバーナ１Ａ〜１Ｄにて行うコンロ用の自動運転処理について説明を加える。
コンロ用設定操作部Ｄには、図６に示す如く、４つのコンロバーナ１Ａ〜１Ｄに対する調理時間を入力するためのタイマー入力部Ｄ１、揚げもの、炊飯、湯わかしの調理メニューを設定するための調理入力部Ｄ２、及び、炒めもの調理等において、上述した高温停止処理の実行を予め設定した設定時間停止して高温運転を行うことを指令するための高温設定入力部Ｄ３が設けられている。
したがって、本実施形態においては、コンロ用設定操作部Ｄにて設定される複数種の自動調理として、タイマー運転、高温運転、並びに、調理メニューとして設定される、揚げもの運転、炊飯運転、及び、湯沸し運転が存在することになる。
【００７４】
ちなみに、図６においては、高火力バーナ１Ａを左コンロと記載し、第１標準バーナ１Ｂを右コンロとして記載している。そして、本実施形態においては、調理入力部Ｄ２にて調理メニューが設定されるコンロバーナは、高火力バーナ１Ａ（左コンロ）と、第１標準バーナ１Ｂ（右コンロ）とが対象となり、また、高温設定入力部Ｄ３にて高温停止処理の実行が停止されるコンロバーナは、高火力バーナ１Ａ（左コンロ）と、第１標準バーナ１Ｂ（右コンロ）とが対象となるように構成されている。
【００７５】
調理入力部Ｄ２には、選択された調理メニューを行うコンロバーナとして、高火力バーナ１Ａ（左コンロ）を選択する左コンロ選択スイッチ２５Ａと、第１標準バーナ１Ｂ（右コンロ）を選択する右コンロ選択スイッチ２５Ｂとが設けられ、左コンロ選択スイッチ２５Ａが選択されると点灯する左コンロ表示部２５ａ及び右コンロ選択スイッチ２５Ｂが選択されると点灯する右コンロ表示部２５ｂが設けられ、さらに、選択されたコンロバーナにて行う調理メニュー選択するスイッチとして、揚げものを指令する揚げものスイッチ２６Ａ、炊飯を指令する炊飯スイッチ２６Ｂ、及び、湯わかしを指令する湯わかしスイッチ２６Ｃが設けられている。
【００７６】
揚げものスイッチ２６Ｃは、押し操作されるごとに、２００℃、１８０℃、１６０℃といった複数の揚げもの調理用の目標温度を順次選択して設定できるように構成され、そして、調理入力部Ｄ２には、設定された揚げもの調理用温度を点灯により表示する温度表示部２７Ａ、２７Ｂ、２７Ｃが設けられている。
【００７７】
炊飯スイッチ２６Ｂは、押し操作されるごとに、ごはんの処理とおかゆの処理との異なる炊飯調理を選択して設定できるように構成され、設定された炊飯調理がごはんの処理であることを点灯により表示するごはん表示部２８Ａと、設定された炊飯調理がおかゆの処理であることを点灯により表示するおかゆ表示部２８Ｂとが、調理入力部Ｄ２に設けられている。
【００７８】
湯わかしスイッチ２６Ｃは、押し操作されるごとに、自動消火モード（沸騰検出するまでは最大ガス消費量で加熱した後、沸騰検出後に直ちに消火するモード）と、５分保温モード（沸騰検出するまでは最大ガス消費量で加熱した後、沸騰検出後にガス消費量を０．６４ｋｗに減少させ、その後５分間加熱した後に消火するモード）とを選択して設定できるように構成され、設定されたモードが自動消火モードであることを点灯にて表示する自動消火表示部２９Ａと、設定されたモードが５分保温モードであることを点灯にて表示する５分保温表示部２９Ｂとが、調理入力部Ｄ２に設けられている。
【００７９】
したがって、運転制御部Ｈは、調理入力部Ｄ２にて揚げもの運転、炊飯運転、及び、湯沸し運転が設定されると、操作具６Ａ、６Ｂの点火指令により、高火力バーナ１Ａ（左コンロ）又は第１標準バーナ１Ｂ（右コンロ）を点火して燃焼させた状態において、調理入力部Ｄ２の設定情報に基づいて、揚げもの運転処理、湯わかし運転処理、及び、炊飯運転処理を行うことになり、そして、揚げもの運転処理や炊飯運転処理においては、高火力バーナ１Ａ（左コンロ）や第１標準バーナ１Ｂ（右コンロ）の火力を、高火力状態と低火力状態とに繰り返し切換えるように、コンロ用流量調節弁１９Ａ、１９Ｂを操作する火力繰り返し変更処理を行うことになる。
【００８０】
高温設定入力部Ｄ３には、高温停止処理の実行を予め設定した設定時間の間停止するコンロバーナとして、高火力バーナ１Ａ（左コンロ）を選択する左コンロ選択スイッチ３０Ａと、第１標準バーナ１Ｂ（右コンロ）を選択する右コンロ選択スイッチ３０Ｂとが設けられ、左コンロ選択スイッチ３０Ａが選択されると点灯する左コンロ表示部３０ａ及び右コンロ選択スイッチ３０Ｂが選択されると点灯する右コンロ表示部３０ｂが設けられている。
具体的には、左コンロ選択スイッチ３０Ａ又は右コンロ選択スイッチ３０Ｂを３秒間押し続けると、高温停止処理の実行を予め設定した設定時間停止することが設定されることになる。
【００８１】
したがって、運転制御部Ｈは、コンロ用操作具６Ａ、６Ｂの点火指令により、高火力バーナ１Ａ（左コンロ）又は第１標準バーナ１Ｂ（右コンロ）を点火して燃焼させた状態において、高温設定入力部Ｄ３にて高温停止処理の実行の停止が設定されると、被加熱物検出センサＳの温度検知部Ｓ３が設定停止温度以上の温度を検出しても、設定時間の間は燃焼を継続することになる。ちなみに、設定時間が経過したのちにおいて、被加熱物検出センサＳの温度検知部Ｓ３が設定停止温度以上の温度を検出すると、高火力バーナ１Ａ（左コンロ）又は第１標準バーナ１Ｂ（右コンロ）の燃焼を停止させることは勿論である。
【００８２】
タイマー入力部Ｄ１には、タイマー機能を使用するコンロバーナ１Ａ〜１Ｄを選択するタイマー選択スイッチ３１、選択されたコンロバーナ１Ａ〜１Ｄを表示するコンロ表示部３２ａ、３２ｂ、３２ｃ、３２ｄ、時間増加スイッチ３３Ａ、時間減少スイッチ３３Ｂ、及び、時間表示部３４が備えられている。
【００８３】
そして、タイマー機能を使用する際には、先ず、タイマー機能を使用するコンロバーナ１Ａ〜１Ｄ（左、右、前、後）をタイマー選択スイッチ３１にて選択する。具体的には、タイマー選択スイッチ３１を押すごとに、高火力バーナ１Ａ（左）、第１標準バーナ１Ｂ（右）、第２標準バーナ（後）、小火力バーナ１Ｃ（前）の順序で選択され、そして、その選択されたコンロバーナ１Ａ〜１Ｄ（左、右、前、後）がコンロ表示部３２ａ、３２ｂ、３２ｃ、３２ｄにて点灯表示されることになる。
【００８４】
次に、時間増加スイッチ３３Ａ及び時間減少スイッチ３３Ｂにてタイマー時間（設定時間）を設定することになる。具体的には、上述の如くタイマー選択スイッチ３１が操作されると、時間表示部３４に予め設定された初期時間（例えば８分）が表示される。そして、時間を増加するときには時間増加スイッチ３３Ａを押し操作し、時間を減少させるときには時間減少スイッチ３３Ｂを押し操作することになり、そして、その押し操作ごとに、時間表示部３４にて表示されるタイマー時間が、設定単位（例えば、１分単位等）で増減して、タイマー時間が設定されることになる。
ちなみに、時間表示部３４にて表示されるタイマー時間（設定時間）は、設定後の時間経過に伴って減少することになり、いわゆる残時間が表示されることになる。
【００８５】
したがって、運転制御部Ｈは、コンロ用操作具６Ａ〜６Ｄの点火指令に基づいてコンロバーナ１Ａ〜１Ｄ（左、右、前、後）を点火して燃焼させた状態において、コンロ用設定操作部Ｄにて入力されることになる設定情報に基づいて、選択されたコンロバーナ１Ａ〜１Ｄ（左、右、前、後）に対して設定された設定時間（タイマー時間）が経過すると、選択されたコンロバーナ１Ａ〜１Ｄ（左、右、前、後）を自動的に消火する形態でタイマー運転処理を実行することになる。
【００８６】
また、運転制御部Ｈは、各操作具６Ａ〜６Ｄ及びグリル操作具９による目標火力の設定による火力調節、コンロ用設定操作部Ｄにて設定に基づくコンロ用の自動調理処理の実行に伴う火力調節、及び、グリル用設定操作部Ｅに設定に基づくグリル用の自動調理処理の実行に伴う火力調節を行うにあたり、複数の加熱部Ｂとしての、４つのコンロバーナ１Ａ〜１Ｄとグリルバーナ２とで消費するガス消費量の総和が、設定最大量を越えないように、第２標準バーナ１Ｄにて消費するガス燃料を制限する消費量制限処理を行うことにより、消費ガス燃料の総和が設定最大量を越えることを抑制するように構成されている。
【００８７】
つまり、第２標準バーナ１Ｄを使用せずに、残りの３つのコンロバーナ１Ａ〜１Ｃとグリルバーナ２を最大燃焼量にて使用しても、消費ガス燃料の総和が設定最大量を越えることは無いが、第２標準バーナ１Ｄを最大燃焼量にて燃焼させると、消費ガス燃料の総和が設定最大量を越えるものとなるため、自動調理を行うことのない第２標準バーナ１Ｄにて消費するガス燃料を制限するように構成されている。
【００８８】
説明を加えると、本実施形態の場合においては、複数の加熱部Ｂとしての、４つのコンロバーナ１Ａ〜１Ｄ及びグリルバーナ２は、その火力を最大に設定したときには下記のガス消費量を消費する。
すなわち、高火力バーナ１Ａは、４．２ｋｗであり、第１標準バーナ１Ｂは、２．９７ｋｗであり、小火力バーナ１Ｃは、１．２８ｋｗであり、第２標準バーナ１Ｄは、２．９７ｋｗであり、グリルバーナ２は、２．１５ｋｗである。
したがって、４つのコンロバーナ１Ａ〜１Ｄ及びグリルバーナ２を最大火力で使用すると、設定最大量としての１２ｋｗを超えて、ガス消費量の総和が１３．５７ｋｗとなる。
そこで、４つのコンロバーナ１Ａ〜１Ｄ及びグリルバーナ２のガス消費量が設定最大量としての１２ｋｗを超えないようにするために、第２標準バーナ１Ｄのガス消費量を制限することになる。
【００８９】
このように、ガス消費量の総和が１２ｋｗを超えることがないように第２標準バーナ１Ｄのガス消費量を制限するから、特別な排気設備（換気設備）を設置しない一般家庭においてもガスの燃焼に伴う空気環境の悪化を回避できるものとなる。
ちなみに、本実施形態では、自動調理処理を行う加熱部が、高火力バーナ１Ａ、第１標準バーナ１Ｂ及びグリルバーナ２であり、自動調理用の加熱部とは異なる消費制限用の加熱部が、上述の如く、第２標準バーナ１Ｄである。
尚、本実施形態においては、自動調理処理を行う加熱部としての高火力バーナ１Ａ、第１標準バーナ１Ｂ及びグリルバーナ２とは異なるバーナとしては、小火力バーナ１Ｃが存在するが、その小火力バーナ１Ｃは、その火力を最大に設定したときのガス消費量が１．２８ｋｗであり、ガス消費量を減少できる量が不足するため、消費制限用の加熱部としては用いるには適するものではない。
【００９０】
ところで、第２標準バーナ１Ｄにて消費するガス燃料を制限するにあたり、４つのコンロバーナ１Ａ〜１Ｄ及びグリルバーナ２が同時に使用されると、第２標準バーナ１Ｄのガス消費量を設定値（例えば１．２８ｋｗ）に制限することにより、ガス消費量の総和を設定量（１１．８８ｋｗ）に制限して、設定最大量（１２ｋｗ）を超えることがないようにすることができるが、本実施形態では、運転制御部Ｈが、消費量制限処理として、４つのコンロバーナ１Ａ〜１Ｄ及びグリルバーナ２のうちの、消費制限用の加熱部としての第２標準バーナ１Ｄを除いた消費非制限用の加熱部、つまり、３つのコンロバーナ１Ａ〜１Ｃ及びグリルバーナ２についてのガス消費量の総和を求めて、第２標準バーナ１Ｄについてのガス消費量を、設定最大量と消費非制限用の加熱部としての、３つのコンロバーナ１Ａ〜１Ｃ及びグリルバーナ２ついてのガス消費量の総和との差に相当するガス消費量に制限するように構成されている。
【００９１】
つまり、第２標準バーナ１Ｄのガス消費量が、設定最大量と３つのコンロバーナ１Ａ〜１Ｃ及びグリルバーナ２ついてのガス消費量の総和との差に相当するガス消費量を超えないように、第２標準バーナ１Ｄのガス消費量を制限することになる。
具体的には、操作具６Ｄにて、設定最大量と３つのコンロバーナ１Ａ〜１Ｃ及びグリルバーナ２ついてのガス消費量の総和との差に相当するガス消費量を超える目標火力が設定されても、第２標準バーナ１Ｄのガス消費量が、設定最大量と３つのコンロバーナ１Ａ〜１Ｃ及びグリルバーナ２ついてのガス消費量の総和との差に相当するガス消費量を超えないように、運転制御部Ｈが、コンロ用流量調節弁１９Ｄを操作するように構成されている。
【００９２】
そして、第２標準バーナ１Ｄに対する火力（ガス消費量）をコンロ用操作具６Ｄにて設定された目標火力よりも低下させるときには、運転制御部Ｈが、第２標準バーナ１Ｄに対応するコンロ用操作具６Ｄの上部に設けられた点灯器８Ｄを低速で点滅（点滅周期１秒）させるように構成されている。
【００９３】
また、運転制御部Ｈは、消費量制限処理おいて、自動調理処理として火力繰り返し変更処理を行う場合、つまり、揚げもの運転処理や炊飯運転処理を行う場合においては、高火力バーナ１Ａ（左コンロ）や第１標準バーナ１Ｂ（右コンロ）のガス消費量を、高火力状態（最大火力）に対応するガス消費量とする形態で、消費非制限用の加熱部としての、３つのコンロバーナ１Ａ〜１Ｃ及びグリルバーナ２ついてのガス消費量の総和を求めるように構成されている。
【００９４】
また、運転制御部は、消費量制限処理として、消費制限用の加熱部としての第２標準バーナ１Ｄの燃焼中において、操作具６Ａ〜６Ｃ及びグリル操作具９の目標火力設定情報に基づいて３つのコンロバーナ１Ａ〜１Ｃ及びグリルバーナ２の火力を高火力側に調節したならば、４つのコンロバーナ１Ａ〜１Ｄ及びグリルバーナ２のガス消費量の総和が設定最大量を超えることなる状態になった場合には、先ず、第２標準バーナ１Ｄについてのガス消費量を、設定最大量と火力を高火力側に調節したと仮定したときの３つのコンロバーナ１Ａ〜１Ｃ及びグリルバーナ２のガス消費量の総和との差に相当する消費量に減少したのちに、３つのコンロバーナ１Ａ〜１Ｃ及びグリルバーナ２のついてのガス消費量を増加させるように構成されている。
【００９５】
また、運転制御部Ｈが、消費量制限処理として、消費制限用の加熱部としての第２標準バーナ１Ｄについてのガス消費量を、コンロ用操作具６Ｄにて設定された目標火力に対応するガス消費量よりも減少させているときに、第２標準バーナ１Ｄについてのガス消費量を増加させても４つのコンロバーナ１Ａ〜１Ｄ及びグリルバーナ２のガス消費量の総和が設定最大量を超えない状態になった場合において、コンロ用操作具６Ｄが火力減少側に操作されたのちに火力増大側に操作されると、そのコンロ用操作具６Ｄの目標火力設定情報に基づいて、第２標準バーナ１Ｄについてのガス消費量を増加させるように構成されている。
【００９６】
そして、第２標準バーナ１Ｄについてのガス消費量を、コンロ用操作具６Ｄにて設定された目標火力に対応するガス消費量よりも減少させているときに、第２標準バーナ１Ｄについてのガス消費量を増加させても４つのコンロバーナ１Ａ〜１Ｄ及びグリルバーナ２のガス消費量の総和が設定最大量を超えない状態になった場合において、運転制御部Ｈが、第２標準バーナ１Ｄに対応するコンロ用操作具６Ｄの上部に設けられた点灯器８Ｄを高速の点滅（点滅周期０．２５秒）させるように構成されている。また、運転制御部Ｈは、点灯器８Ｄを高速の点滅（点滅周期０．２５秒）させることに加えて、圧電ブザー（図示せず）を鳴動させるように構成されている。
【００９７】
また、工場出荷時においては、消費制限用の加熱部が第２標準バーナ１Ｄに設定されているが、消費制限用の加熱部を、他のコンロバーナ１Ａ〜１Ｃに変更できるように構成されている。
つまり、タイマー入力部Ｄ１に装備した時間増加スイッチ３３Ａと時間減少スイッチ３３Ｂとを同時に操作した状態において、タイマー選択スイッチ３１を押し操作することにより、消費制限用の加熱部を、第２標準バーナ１Ｄ、小火力バーナ１Ｃ、第１標準バーナ１Ｂ、高火力バーナ１Ｄの順に変更できるように構成されている。
つまり、本実施形態においては、タイマー入力部Ｄ１が、消費制限用の加熱部の変更を指令する変更指令手段として用いられて、運転制御部Ｈが、タイマー入力部Ｄ１の変更指令情報に基づいて、４つのコンロバーナ１Ａ〜１Ｄのうちに定める消費制限用の加熱部を変更するように構成されている。
【００９８】
そして、運転制御部Ｈは、自動調理用の加熱部としての高火力バーナ１Ａ（左コンロ）や第１標準バーナ１Ｂ（右コンロ）が消費制限用の加熱部に変更された場合には、その自動調理用の加熱部に対する自動調理処理を実行しないように構成されている。
【００９９】
また、運転制御部Ｈが、消費量制限処理を実行する状態と消費量制限処理を実行しない状態とに切換え自在に構成されている。
すなわち、運転制御部Ｈは、工場出荷時においては、消費量制限処理を実行する状態にしてあるが、ガスコンロの設置箇所の給排気設備の能力が十分あり最大ガス消費量の制限が不要な場合には、専用の入力装置Ｗ（図５参照）をデータ通信可能な状態で運転制御部Ｈに接続して、消費量制限処理を実行しない状態に切換えるための解除データを入力すると、運転制御部Ｈが、その解除データに基づいて、消費量制限処理を実行しない状態となるように構成されている。
【０１００】
解除データは、その解除データを管理する管理センターが発行されるものであり、ガスコンロを管理する管理作業者が、消費量制限処理を実行しない状態に切換えることを使用者から要求された場合には、給排気設備（換気設備）の能力が十分あることを確認したのち、管理センターに問い合わせて解除データを取得し、専用の入力装置Ｗにて運転制御部Ｈに入力することになる。解除データは、ガスコンロ本機のロット番号と解除指令情報とを組み合わせたデータとして構成される。
【０１０１】
以下、運転制御部Ｈの制御作動についてフローチャートを参照にして説明する。
図７に示すように、運転制御部Ｈは、先ず、入力される各種の情報を読み取る情報読取処理（＃１）を行う。
次に、運転制御部Ｈは、消費量制限処理を実行しない状態に切換える制限解除設定処理（＃２）、及び、消費量制限処理を行う際にガス消費量を制限することになる消費制限用の加熱部を変更する制限対象変更処理（＃３）を順次行う。
【０１０２】
その後、運転制御部Ｈは、上述した点火処理、消火処理、火力調節処理、高温停止処理、非常停止処理、コンロ用の自動運転処理、グリル用の自動運転処理、及び、消費量制限処理を構成する具体的処理として、出力設定処理（＃４）、火力設定処理（＃５）、ガス消費量設定処理（＃６）、出力処理（＃７）、及び、火力変更処理（＃８）を行う。
【０１０３】
以下、運転制御部Ｈが実行する各処理について説明を加える。
情報読取処理は、コンロ用設定操作部Ｄ、グリル用設定操作部Ｅ、位置センサ７Ａ〜７Ｄ、１０、及び、被加熱検出センサＳの情報を読み取り、並びに、専用の入力装置Ｗが通信可能な状態に接続されているか否かを判断することになる。
ちなみに、高火力バーナ１Ａ（左コンロ）や第１標準バーナ１Ｂ（右コンロ）が消費制限用の加熱部に変更された場合において、そのバーナについて自動調理処理を行うことがコンロ用設定操作部Ｄにて設定されようとしたときには、その設定を無効にし、且つ、警報ブザー（図示せず）を作動させる。
【０１０４】
図８に示すように、制限解除設定処理は、先ず、専用の入力装置Ｗが接続されて、制御解除通信モードになったか否かを判別し（＃１１）、制御解除通信モードでないときには、次の制限対象変更処理に移行することになる。
制御解除通信モードであると判別したときには、専用の入力装置Ｗにて入力された解除データがガスコンロ本機のロット番号に対応するものであるか否かを判別し（＃１２）、
対応するものである場合には、制限解除指令であるか否かを判別する（＃１３）。
【０１０５】
専用の入力装置Ｗにて入力された解除データがガスコンロ本機のロット番号に対応するものであり、しかも、制限解除指令である場合には、消費量制限処理を実行しない状態に定めることになる制限解除フラグを「１」に設定する（＃１４）。
【０１０６】
ステップ＃１２にて、入力された解除データがロット番号に対応するものでないと判別したとき、ステップ＃１３にて、制限解除指令でないと判別したとき、及び、ステップ＃１５にて、制限解除フラグを「１」ときには、次に、専用の入力装置Ｗとの通信が完了した場合及び通信が切断した場合の終了状態であるか否かを判別し（＃１５）、終了状態であるときには、制限対象変更処理に移行することになり、終了状態でないときには、ステップ＃１２からの処理を繰り返すことになる。
【０１０７】
図９に示すように、制限対象変更処理は、先ず、上述の制限解除設定処理にて設定されることになる制限解除フラグが「１」であるか否かを判別する（＃２１）。
制限解除フラグが「１」であるときには、高火力バーナ制限フラグ、第１標準バーナ制限フラグ、小火力バーナ制限フラグ、第２標準バーナ制限フラグ、及び、グリルバーナ制限フラグの夫々を「０」に設定し（＃２２）、次のガス消費量設定処理に移行する。
尚、各制限フラグは、ガス消費量設定処理及び火力設定処理において、消費量制限を行うバーナであるか否かを判別するために用いられることになり、「１」にて消費量制限を行うバーナに設定され、「０」にて消費量制限を行わないバーナに設定される。
【０１０８】
ステップ＃２１にて、制限解除フラグが「１」でないと判別したときには、高火力バーナ制限フラグ、第１標準バーナ制限フラグ、小火力バーナ制限フラグ、及び、グリルバーナ制限フラグの夫々を「０」に設定し、且つ、第２標準バーナ制限フラグを「１」に設定する。
【０１０９】
次に、タイマー入力部Ｄ１の時間増加スイッチ３３Ａと時間減少スイッチ３３Ｂとが同時に押されたか否かを判別し、同時押しでないときには、次のガス消費量設定処理に移行する。
同時押しであるときには、時間増加スイッチ３３Ａと時間減少スイッチ３３Ｂとが同時に押されている間に、タイマー選択スイッチ３１が操作されたか否かを判別し（＃２５）、タイマー選択スイッチ３１が押し操作されるごとに、高火力バーナ１Ａ、第１標準バーナ１Ｂ、第２標準バーナ１Ｄ、小火力バーナ１Ｃが順次選択されたものと判断する（＃２６〜＃３２）。
【０１１０】
そして、高火力バーナ１Ａが選択された場合には、高火力バーナ制限フラグを「１」に設定し、かつ、他のバーナの制限フラグを「０」に設定し（＃２７）、第１標準バーナ１Ｂが選択された場合には、第１標準バーナ制限フラグを「１」に設定し、かつ、他のバーナの制限フラグを「０」に設定し（＃２９）、第２標準バーナ１Ｄが選択された場合には、第２標準バーナ制限フラグを「１」に設定し、かつ、他のバーナの制限フラグを「０」に設定する（＃３１）。
また、小火力バーナ１Ｃが選択された場合には、小火力バーナ１Ｃは、消費量制限のために用いることができないので、制限フラグ変更なしとする（＃３３）。
【０１１１】
ステップ＃２５にて、同時押しが判別されないときや、ステップ＃２７、＃２９、＃３１、＃３３にて、制限フラグの設定をしたのちは、時間増加スイッチ３３Ａと時間減少スイッチ３３Ｂとが同時に押されてからの経過時間が３０秒経過したか否かを判別し（＃３４）、経過していないときには、ステップ＃２５からの処理を繰り返し、また、経過しているときには、次のガス消費量設定処理に移行する。
【０１１２】
出力設定処理は、情報読取処理にて読み取った読取情報、及び、現在の運転状態に基づいて、点火プラグＰの点火作動、点灯器８Ａ〜８Ｄの点灯作動、元ガス弁１８の開閉作動等の各種アクチュエータの目標作動状態を設定することになる。
ちなみに、現在の運転状態とは、コンロ用の自動運転処理や、グリル用の自動運転処理の進行状況である。
【０１１３】
火力設定処理は、情報読取処理にて読み取った読取情報及び現在の運転状態に基づいて、４つのコンロバーナ１Ａ〜１Ｄ及びグリルバーナ２ついての目標火力（設定火力）を定めることになる。
ちなみに、目標火力（設定火力）とは、基本的には、操作具６Ａ〜６Ｄやグリル操作具９にて設定される火力であるが、コンロ用設定操作部Ｄ及びグリル用設定操作部Ｅの設定情報に基づいて、運転制御部Ｈが、コンロ用の自動運転処理やグリル用の自動運転処理を実行するために、操作具６Ａ〜６Ｄやグリル操作具９にて設定される火力とは異なる火力に定める場合には、その運転制御部Ｈにて定める火力が、目標火力（設定火力）となる。
さらに、自動調理処理として火力繰り返し変更処理を行う場合、つまり、揚げもの運転処理や炊飯運転処理を行う場合においては、高火力バーナ１Ａ（左コンロ）や第１標準バーナ１Ｂ（右コンロ）の目標火力（設定火力）は、高火力状態（最大火力）に設定される。
【０１１４】
図１０に示すように、ガス消費量設定処理は、先ず、高火力バーナ１Ａ、第１標準バーナ１Ｂ、小火力バーナ１Ｃ、第２標準バーナ制限１Ｄ、及び、グリルバーナ２を定めるためのカウント値ｎ（図面中では、バーナｎと記載）を加算する処理を行う（＃４１）。
尚、このカウント値ｎを加算する処理（＃４１）は、ステップ＃４８にて「５」が判別されるまで、繰り返し行われ、且つ、ステップ＃４８にて「５」が判別されると、カウント値ｎは「０」に設定されて、次の出力処理に移行する。
【０１１５】
ステップ＃４１の処理のあとは、カウント値ｎのバーナの制限フラグが「１」であるか否かを判別し（＃４２）、制限フラグが「１」でない場合には、カウント値ｎのバーナの専有消費量を、火力設定処理にて定めた目標火力（設定火力）に対応するガス消費量に定める（＃４３）。
【０１１６】
ステップ４２にて、制限フラグが「１」であると判別した場合には、バーナの設定火力の総和が設定最大量よりも大きいか否かを判別し（＃４４）、大きくない場合には、ステップ＃４３の処理を実行する。
そして、バーナの設定火力の総和が設定最大量よりも大きいと判別した場合には、カウント値ｎのバーナの専有消費量を、設定最大量と他の３つのバーナ及びグリルバーナついてのガス消費量の総和との差に相当するガス消費量に定める（＃４５）。
【０１１７】
次に、カウント値ｎのバーナについて火力設定処理にて定めた目標火力（設定火力）がカウント値ｎのバーナの専有消費量よりも大きいか否かを判別し（＃４６）、大きくない場合には、ステップ＃４８に移行する。
また、ステップ＃４６にて大きいと判別した場合には、そのカウント値ｎのバーナに対応する点灯器を低速で点滅することを設定し（＃４７）、ステップ＃４８に移行する。
【０１１８】
出力処理は、上述の出力設定処理にて設定した目標作動情報に基づいて、点火プラグＰの点火作動、点灯器８Ａ〜８Ｄの点灯作動、元ガス弁１８の開閉作動等の各種アクチュエータを作動させることになる。
尚、点灯器８Ａ〜８Ｄは、上述のガス消費量設定処理にて低速で点滅することが設定されると、低速で点滅し、また、後述の火力変更処理にて高速で点滅することが設定されると、高速で点滅することになる。
【０１１９】
図１１に示すように、火力変更処理は、先ず、高火力バーナ１Ａ、第１標準バーナ１Ｂ、小火力バーナ１Ｃ、第２標準バーナ制限１Ｄ、及び、グリルバーナ２を定めるためのカウント値ｎ（図面中では、バーナｎと記載）を加算する処理を行う（＃５１）。
尚、このカウント値ｎを加算する処理（＃５１）は、ステップ＃５５にて「５」が判別されるまで、繰り返し行われ、且つ、ステップ＃５５にて「５」が判別されると、カウント値ｎは「０」に設定されて、次の情報読取処理に移行する。
【０１２０】
ステップ＃５１のあとは、高火力バーナ１Ａ、第１標準バーナ１Ｂ、小火力バーナ１Ｃ、第２標準バーナ制限１Ｄ、及び、グリルバーナ２に対して火力設定処理にて定めた目標火力（設定火力）の総和が、設定最大量であるか否かを判別する（＃５２）。
ステップ＃５２にて、総和が設定最大量よりも大きくないと判別したときには、カウント値ｎのバーナの現在の火力がガス消費量設定処理にて設定した専有消費量よりも小であるか否かを判別する（＃５３）。
その判別にて小で無いと判別し場合には、カウント値ｎのバーナの火力を、ガス消費量設定処理にて設定したそのカウント値ｎのバーナの専有消費量に調節すべく、そのカウント値ｎのバーナに対応する流量調節弁のステッピングモータを作動させる火力調節を行い（＃５４）、ステップ＃５５に移行する。
【０１２１】
ステップ＃５３にて小であると判別した場合には、そのカウント値ｎのバーナの制限フラグが「１」であるか否かを判別し（＃５８）、「１」で無い場合には、ステップ＃５４に移行して、火力調節を行う。
ステップ＃５８にて制限フラグが「１」であると判別した場合には、そのカウント値ｎのバーナのガス消費量を制限中であったか否かを、つまり、全てのバーナのガス消費量の総和が設定最大量を超えないようにするために、今まで、そのカウント値ｎのバーナのガス消費量を目標火力（設定火力）よりも減少させる制限中であったか否かを判別し（＃５９）、制限中でなかった場合には、ステップ＃５４に移行する。
【０１２２】
ステップ＃５９にて制限中であったと判別した場合には、そのカウント値ｎのバーナに対応する点灯器を高速で点滅することを設定し（＃６０）、次に、そのカウント値ｎのバーナの火力が、火力減少側に操作された後に大火力側に操作された状態であるか否かを判断する（＃６１）。
そして、＃６１にて、火力減少側に操作された後に大火力側に操作された状態であると判別した場合には、ステップ＃５４に移行し、火力減少側に操作された後に大火力側に操作された状態で無い場合には、ステップ＃５５に移行する。
【０１２３】
ステップ＃５２にて、高火力バーナ１Ａ、第１標準バーナ１Ｂ、小火力バーナ１Ｃ、第２標準バーナ制限１Ｄ、及び、グリルバーナ２に対して火力設定処理にて定めた目標火力（設定火力）の総和が、設定最大量よりも大きいと判別した場合には、そのカウント値ｎのバーナを除いたバーナについての現在の火力の総和とそのカウント値ｎのバーナの専有消費量を加えた値が、設定最大量よりも大きいか否かを判別し（＃５７）、大きくない場合には、ガス消費量を制限するバーナであるとして、＃５４に移行する。
また、ステップ＃５７にて、大きいと判別した場合には、ガス消費量を制限するバーナではないため、ガス消費量を制限するバーナのガス消費量が減少されるまでは火力調節を行わないようにすべく、ステップ＃５５に移行する。
【０１２４】
〔別実施形態〕
【０１２５】
（１）上記実施形態では、消費非制限用の加熱部として、グリルバーナを備えさせるガスコンロを例示したが、本願発明は、グリルバーナを装備しないガスコンロに適用できることは勿論である
【０１２６】
（２）上記実施形態では、コンロ用のバーナとして、４つのバーナを備えさせる場合を例示したが、本願発明は、３つのバーナを備えるものや、５つ以上のバーナを備えるガスコンロにも適用できる。
【０１２７】
（３）上記実施形態では、加熱状態設定手段が、点火及び消火の指令と目標火力の設定とを兼用の操作具にて行うように構成される場合を例示したが、点火及び消火の指令操作具と、目標火力を設定する操作具とを各別に設ける形態で実施しても良い。
【０１２８】
（４）本願発明を実施するに、自動調理用の加熱部にて行う自動調理は、上記実施形態で述べた種類の自動調理以外のものを備えさせてもよく、また、上記実施形態で述べた種類の自動調理のうちの一部を備えさせてもよい。
【符号の説明】
【０１２９】
Ｂ          加熱部
Ｕ          加熱状態設定手段
Ｄ、Ｅ      自動調理設定手段
Ｄ１        変更指令手段
Ｈ          運転制御手段
【図１】
0005473510.tif 000002
【図２】
0005473510.tif 000003
【図３】
0005473510.tif 000004
【図４】
0005473510.tif 000005
【図５】
0005473510.tif 000006
【図６】
0005473510.tif 000007
【図７】
0005473510.tif 000008
【図８】
0005473510.tif 000009
【図９】
0005473510.tif 000010
【図１０】
0005473510.tif 000011
【図１１】
0005473510.tif 000012